(57)【要約】【課題】専用の充電装置が不要でかつ充電忘れがない携帯通信端末と、当該携帯通信端末及びホスト通信装置を備えたＲＦＩＤシステムを提供する。【解決手段】携帯通信端末２００は、ホスト通信装置３００と通信するためのアンテナ２０１と、アンテナ２０１に誘起する誘導起電力を直流電圧に変換する電力変換回路２０２と、蓄電池２０３とを備える。蓄電池２０３に対する充電を実行するか否かは、携帯通信端末２００が備える基準値又はＲＦＩＤシステムのユーザがホスト通信装置３００に設定した基準値のいずれかを、蓄電池２０３の残量と比較することによって決定する。【選択図】図１
2011060169.tif 000002
【特許請求の範囲】
【請求項１】
携帯通信端末とホスト通信装置とを備えたＲＦＩＤシステムのための携帯通信端末において、
ＲＦＩＤタグ及び前記ホスト通信装置との通信に使用するアンテナと、
蓄電池とを備え、
前記蓄電池は、前記ホスト通信装置から出力される電波によって、前記アンテナに誘起する誘導起電力によって満充電になるまで充電されることを特徴とする携帯通信端末。
【請求項２】
前記携帯通信端末は、
リーダ・ライタとして機能するリーダ・ライタモードと、
ＲＦＩＤタグとして機能するタグモードとを備え、
前記ＲＦＩＤタグと通信する場合は、リーダ・ライタモードで動作し、
前記ホスト通信装置からの起動コマンドに応答してタグモードで動作し、
前記ホスト通信装置を起動した場合は、リーダ・ライタモードで動作して前記ホスト通信装置に対して起動コマンドを送信することを特徴とする請求項１記載の携帯通信端末。
【請求項３】
前記携帯通信端末は、
前記リーダ・ライタモードで動作して、前記ＲＦＩＤタグ又は前記ホスト通信装置と通信する場合は前記蓄電池を用い、
前記タグモードで動作して、前記ホスト通信装置と通信する場合は、所定の切り換え信号に応じて、前記蓄電池と前記アンテナに誘起する誘導起電力とのうちのいずれか一方を選択して用いることを特徴とする請求項１又は２記載の携帯通信端末。
【請求項４】
前記携帯通信端末は、
前記アンテナに誘起する誘導起電力を直流電圧に変換して出力する電力変換回路と、
前記誘導起電力と前記蓄電池とのうちのいずれか一方を選択する電源ライン切り換え手段と、
前記アンテナを用いたデータの送受信を制御する送受信制御回路と、
前記携帯通信端末の動作を切り換えるオート／マニュアルスイッチと、
前記携帯通信端末の動作を制御するコントローラとを備え、
前記オート／マニュアルスイッチは、オート又はマニュアルの信号をコントローラに出力し、
前記コントローラは、
前記蓄電池の残量を検知する残量検知機能と、
前記蓄電池を充電するか否かを決定して、前記蓄電池の充電を制御する充電制御機能と、
前記電源ライン切り換え部に前記切り換え信号を出力する電源ライン制御機能とを備えたことを特徴とする請求項１乃至３のうちのいずれか１つに記載の携帯通信端末。
【請求項５】
前記切り換え信号は、
前記オート／マニュアルスイッチの信号がオートの場合は、前記蓄電池の残量が所定の基準値未満であれば前記誘導起電力を選択し、前記蓄電池の残量が前記所定の基準値以上であれば前記蓄電池を選択し、
前記オート／マニュアルスイッチの信号がマニュアルの場合は、前記蓄電池の残量を前記ホスト通信装置に送信し、前記ホスト通信装置から受信する電源指定コマンドに応じて、前記誘導起電力と前記蓄電池とのうちのいずれか一方を選択することを特徴とする請求項４記載の携帯通信端末。
【請求項６】
前記携帯通信端末は、前記ホスト通信装置から送信された充電コマンドに応じて充電動作を開始することを特徴とする請求項１乃至５のうちのいずれか１つに記載の携帯通信端末。
【請求項７】
前記携帯通信端末は、前記充電コマンドに応答して前記残量検知機能を用いて前記蓄電池の残量を調べ、
前記オート／マニュアルスイッチの信号がオートの場合は、前記蓄電池の残量が所定の基準値未満であれば充電を開始し、
前記オート／マニュアルスイッチの信号がマニュアルの場合は、前記蓄電池の残量を前記ホスト通信装置に送信し、前記ホスト通信装置から受信する充電可否コマンドに応じて充電を開始することを特徴とする請求項６記載の携帯通信端末。
【請求項８】
前記携帯通信端末は、前記蓄電池の充電中において、前記ホスト通信装置との間でコマンドを送受信することを特徴とする請求項６又は７記載の携帯通信端末。
【請求項９】
前記携帯通信端末は、前記蓄電池が充電中であることを表示する表示手段をさらに備えたことを特徴とする請求項１乃至８のうちのいずれか１つに記載の携帯通信端末。
【請求項１０】
前記蓄電池の満充電の検出は、前記残量検知機能によって行なうことを特徴とする請求項１乃至９のうちのいずれか１つに記載の携帯通信端末。
【請求項１１】
前記携帯通信端末は、手動で操作して自身の電源をオンする通信スイッチを備え、
前記通信スイッチを操作することにより、電源がオンした場合は、前記携帯通信端末は前記リーダ・ライタモードで動作し、
前記携帯通信端末の電源がオフのときに、前記ホスト通信装置から起動されて電源がオンした場合は、前記携帯通信端末は前記タグモードで動作することを特徴とする請求項２記載の携帯通信端末。
【請求項１２】
前記携帯通信端末は、前記携帯通信端末のＩＤ情報と、前記ＲＦＩＤタグから取得したデータとを記憶する記憶手段を備え、
前記ホスト通信装置との通信時に、前記記憶手段に記憶された、前記ＩＤ情報、及び前記データを前記ホスト通信装置に送信することを特徴とする請求項１乃至１１のうちのいずれか１つに記載の携帯通信端末。
【請求項１３】
前記記憶手段は不揮発性メモリであることを特徴とする請求項１２記載の携帯通信端末。
【請求項１４】
携帯通信端末とホスト通信装置とを備えたＲＦＩＤシステムのためのホスト通信装置において、
リーダ・ライタとして機能するリーダ・ライタモードと、
ＲＦＩＤタグとして機能するタグモードとを備え、
前記携帯通信端末を起動した場合は、リーダ・ライタモードで動作し、
前記携帯通信端末からの起動コマンドに応答してタグモードで動作することを特徴とするホスト通信装置。
【請求項１５】
前記ホスト通信装置は、
前記リーダ・ライタモードで動作しており、前記携帯通信端末から前記蓄電池の残量を受信したとき、
前記残量がユーザが設定可能な第１の基準値未満であれば、前記誘導起電力を指定する前記電源指定コマンドを前記携帯通信端末に送信し、
前記残量が前記第１の基準値以上であれば、前記蓄電池を指定する前記電源指定コマンドを前記携帯通信端末に送信することを特徴とする請求項１４記載のホスト通信装置。
【請求項１６】
前記ホスト通信装置は、
リーダ・ライタモードで動作しており、前記充電コマンドを前記携帯通信端末に送信した後、前記携帯通信端末から前記蓄電池の残量を受信したとき、
前記残量がユーザが設定可能な第２の基準値未満であれば、充電を実行すると指定した充電可否コマンドを前記携帯通信端末に送信し、
前記残量が前記第２の基準値以上であれば、充電を実行しないと指定した充電可否コマンドを前記携帯通信端末に送信することを特徴とする請求項１４記載のホスト通信装置。
【請求項１７】
前記ホスト通信装置は、前記携帯通信端末が装着される装着受け部を備え、
前記装着受け部に前記携帯通信端末が装着された場合は、前記携帯通信端末の電源をオンすることを特徴とする請求項１４記載のホスト通信装置。
【請求項１８】
請求項１乃至１３のうちのいずれか１つに記載の携帯通信端末と、請求項１４乃至１７のうちのいずれか１つに記載のホスト通信装置とを備えたことを特徴とするＲＦＩＤシステム。
【発明の詳細な説明】
【技術分野】
【０００１】
本発明は、ＲＦＩＤタグ（Ｒａｄｉｏ  Ｆｒｅｑｕｅｎｃｙ  ＩＤｅｎｔｉｆｉｃａｔｉｏｎ）と通信する携帯通信端末と、前記携帯通信端末と通信するホスト通信装置とを備えたＲＦＩＤシステム、携帯通信端末及びホスト通信装置に関し、特に蓄電池を内蔵した携帯通信端末の電源制御に関する。
【背景技術】
【０００２】
近年、ＲＦＩＤタグの小型化及び低価格化が著しく進み、さらに、バーコードに比べ圧倒的に多くの情報量を扱えるため、多くの製品や商品などに取り付けられ利用されるようになってきた。例えば、商店に陳列されている商品の内容や流通履歴などの情報が、商品に取り付けられているＲＦＩＤタグのメモリに格納されており、消費者はリーダ・ライタを目的の商品に近づけるだけで商品の情報を確認することが出来るようになった。
【０００３】
さらに、ＲＦＩＤタグは近距離通信の機能を備えているため、各種センサと組み合わせて、センサが検出した情報をＲＦＩＤタグからリーダ・ライタに送信することで、さまざまな情報を収集することができる。なお、ＲＦＩＤタグと組み合わせるセンサは、温度センサ、圧力センサ、光量センサ、磁気センサなどのどのようなセンサでもよい。
【０００４】
ＲＦＩＤタグをセンサと組み合わせて、センサが検出した情報をデータとしてリーダ・ライタで受信する場合、センサによってはリーダ・ライタの近くまで移動できない場合がある。そのような場合は、リーダ・ライタをＲＦＩＤタグの近くまで移動させ、目的のＲＦＩＤタグからセンサが検出した情報を取得するようにしなくてはならない。そのためにはリーダ・ライタを携帯通信端末にして、電池駆動にする必要がある。このような携帯通信端末の電源としては通常蓄電池が用いられるため、充電装置が必要になる。また、リーダ・ライタを携帯通信端末にした場合は、できるだけ小型でしかも低消費電力にするため、データ処理能力が低下する。これを補うために、通常携帯通信端末で取得したデータをホスト通信装置に送信し、ホスト通信装置でデータを保管・管理するようにしている。このようなＲＦＩＤシステムにおいては、携帯通信端末が内蔵する蓄電池の充電方法が問題となる。
【０００５】
特許文献１は、無線カードに内蔵した蓄電池の電圧が所定の値以下に低下したときに、その旨を表示し、充電の必要性を知らせる。無線カードを電波式充電器に挿入すると、電波式充電器によって充電電波が無線カードに照射されて、充電が行われる。
【０００６】
特許文献２は、電池を用いた非接触ＩＣカードと質問器との間で、コイルの電磁誘導作用を利用して通信を行ない、前記コイルを用いて電磁誘導作用により生成した電力で、非接触ＩＣカードの主要回路部に電源を供給し、非接触ＩＣカードを動作させるとともに、内蔵する電池を充電する。
【発明の概要】
【発明が解決しようとする課題】
【０００７】
しかしながら、特許文献１では専用の充電装置が必要であり、しかも充電が必要な旨の表示を見逃すと、無線カードを充電せずに使い続けてしまい、使用途中で無線カードの電池がなくなるという問題がある。また、充電中は無線カードを使用できないという問題もある。特許文献２では、ＩＣカードが質問器と通信する際にＩＣカードを充電するため、充電のし忘れはなくなった。特許文献１及び特許文献２ともに、ＩＣカードの電源として蓄電池を備えているが、通常ＩＣカードで消費する電力はきわめて小さいため、ＩＣカードに内蔵される蓄電池の容量は、かなり小さいもので足りる。このため、特許文献２のように、ＩＣカードが質問器と通信しているわずかな時間でも蓄電池を充電することができるが、背景技術で説明したリーダ・ライタとしても使用可能な携帯通信端末の場合は、内蔵する蓄電池の容量が大きいため、携帯通信端末が質問器と通信する時間だけでは、蓄電池を満充電まで充電することができない。
【０００８】
本発明の目的は以上の問題を解決し、ＲＦＩＤタグと通信する携帯通信端末と、前記携帯通信端末と通信するホスト通信装置とを備えたＲＦＩＤシステムにおいて、専用の充電装置が不要で、かつ充電忘れがない携帯通信端末と、当該携帯通信端末及びホスト装置を備えたＲＦＩＤシステムを提供することにある。
【課題を解決するための手段】
【０００９】
本発明に係る携帯通信端末は、携帯通信端末とホスト通信装置とを備えたＲＦＩＤシステムのための携帯通信端末において、
ＲＦＩＤタグ及び前記ホスト通信装置との通信に使用するアンテナと、
蓄電池とを備え、
前記蓄電池は、前記ホスト通信装置から出力される電波によって、前記アンテナに誘起する誘導起電力によって満充電になるまで充電されることを特徴とする。
【００１０】
また、前記携帯通信端末は、
リーダ・ライタとして機能するリーダ・ライタモードと、
ＲＦＩＤタグとして機能するタグモードとを備え、
前記ＲＦＩＤタグと通信する場合は、リーダ・ライタモードで動作し、
前記ホスト通信装置からの起動コマンドに応答してタグモードで動作し、
前記ホスト通信装置を起動した場合は、リーダ・ライタモードで動作して前記ホスト通信装置に対して起動コマンドを送信することを特徴とする。
【００１１】
さらに、前記携帯通信端末は、
前記リーダ・ライタモードで動作して、前記ＲＦＩＤタグ又は前記ホスト通信装置と通信する場合は前記蓄電池を用い、
前記タグモードで動作して、前記ホスト通信装置と通信する場合は、所定の切り換え信号に応じて、前記蓄電池と前記アンテナに誘起する誘導起電力とのうちのいずれか一方を選択して用いることを特徴とする。
【００１２】
またさらに、前記携帯通信端末は、
前記アンテナに誘起する誘導起電力を直流電圧に変換して出力する電力変換回路と、
前記誘導起電力と前記蓄電池とのうちのいずれか一方を選択する電源ライン切り換え手段と、
前記アンテナを用いたデータの送受信を制御する送受信制御回路と、
前記携帯通信端末の動作を切り換えるオート／マニュアルスイッチと、
前記携帯通信端末の動作を制御するコントローラとを備え、
前記オート／マニュアルスイッチは、オート又はマニュアルの信号をコントローラに出力し、
前記コントローラは、
前記蓄電池の残量を検知する残量検知機能と、
前記蓄電池を充電するか否かを決定して、前記蓄電池の充電を制御する充電制御機能と、
前記電源ライン切り換え部に前記切り換え信号を出力する電源ライン制御機能とを備えたことを特徴とする。
【００１３】
また、前記携帯通信端末において、前記切り換え信号は、
前記オート／マニュアルスイッチの信号がオートの場合は、前記蓄電池の残量が所定の基準値未満であれば前記誘導起電力を選択し、前記蓄電池の残量が前記所定の基準値以上であれば前記蓄電池を選択し、
前記オート／マニュアルスイッチの信号がマニュアルの場合は、前記蓄電池の残量を前記ホスト通信装置に送信し、前記ホスト通信装置から受信する電源指定コマンドに応じて、前記誘導起電力と前記蓄電池とのうちのいずれか一方を選択することを特徴とする。
【００１４】
さらに、前記携帯通信端末は、前記ホスト通信装置から送信された充電コマンドに応じて充電動作を開始することを特徴とする。
【００１５】
またさらに、前記携帯通信端末は、前記充電コマンドに応答して前記残量検知機能を用いて前記蓄電池の残量を調べ、
前記オート／マニュアルスイッチの信号がオートの場合は、前記蓄電池の残量が所定の基準値未満であれば充電を開始し、
前記オート／マニュアルスイッチの信号がマニュアルの場合は、前記蓄電池の残量を前記ホスト通信装置に送信し、前記ホスト通信装置から受信する充電可否コマンドに応じて充電を開始することを特徴とする。
【００１６】
また、前記携帯通信端末は、前記蓄電池の充電中において、前記ホスト通信装置との間でコマンドを送受信することを特徴とする。
【００１７】
さらに、前記携帯通信端末は、前記蓄電池が充電中であることを表示する表示手段をさらに備えたことを特徴とする。
【００１８】
またさらに、前記携帯通信端末において、前記蓄電池の満充電の検出は、前記残量検知機能によって行なうことを特徴とする。
【００１９】
また、前記携帯通信端末は、手動で操作して自身の電源をオンする通信スイッチを備え、
前記通信スイッチを操作することにより、電源がオンした場合は、前記携帯通信端末は前記リーダ・ライタモードで動作し、
前記携帯通信端末の電源がオフのときに、前記ホスト通信装置から起動されて電源がオンした場合は、前記携帯通信端末は前記タグモードで動作することを特徴とする。
【００２０】
さらに、前記携帯通信端末は、前記携帯通信端末のＩＤ情報と、前記ＲＦＩＤタグから取得したデータとを記憶する記憶手段を備え、
前記ホスト通信装置との通信時に、前記記憶手段に記憶された、前記ＩＤ情報、及び前記データを前記ホスト通信装置に送信することを特徴とする。
【００２１】
またさらに、前記携帯通信端末において、前記記憶手段は不揮発性メモリであることを特徴とする。
【００２２】
本発明に係るホスト通信装置は、携帯通信端末とホスト通信装置とを備えたＲＦＩＤシステムのためのホスト通信装置において、
リーダ・ライタとして機能するリーダ・ライタモードと、
ＲＦＩＤタグとして機能するタグモードとを備え、
前記携帯通信端末を起動した場合は、リーダ・ライタモードで動作し、
前記携帯通信端末からの起動コマンドに応答してタグモードで動作することを特徴とする。
【００２３】
また、前記ホスト通信装置は、
前記リーダ・ライタモードで動作しており、前記携帯通信端末から前記蓄電池の残量を受信したとき、
前記残量がユーザが設定可能な第１の基準値未満であれば、前記誘導起電力を指定する前記電源指定コマンドを前記携帯通信端末に送信し、
前記残量が前記第１の基準値以上であれば、前記蓄電池を指定する前記電源指定コマンドを前記携帯通信端末に送信することを特徴とする。
【００２４】
さらに、前記ホスト通信装置は、
リーダ・ライタモードで動作しており、前記充電コマンドを前記携帯通信端末に送信した後、前記携帯通信端末から前記蓄電池の残量を受信したとき、
前記残量がユーザが設定可能な第２の基準値未満であれば、充電を実行すると指定した充電可否コマンドを前記携帯通信端末に送信し、
前記残量が前記第２の基準値以上であれば、充電を実行しないと指定した充電可否コマンドを前記携帯通信端末に送信することを特徴とする。
【００２５】
またさらに、前記ホスト通信装置は、前記携帯通信端末が装着される装着受け部を備え、
前記装着受け部に前記携帯通信端末が装着された場合は、前記携帯通信端末の電源をオンすることを特徴とする。
【００２６】
本発明に係るＲＦＩＤシステムは、前記携帯通信端末と、前記ホスト通信装置とを備えたことを特徴とする。
【発明の効果】
【００２７】
本発明によれば、携帯通信端末がリーダ・ライタモードで動作している場合は、蓄電池から電力供給を行ない、タグモードで動作している場合は、オート／マニュアルスイッチの信号及び蓄電池の残量に応じて、蓄電池を用いるか誘導起電力から変換された直流電圧を用いるかを決定する。オート／マニュアルスイッチの信号がオートの場合は、携帯通信端末が備える基準値を蓄電池の残量と比較して、残量が基準値以上の場合は蓄電池を使用する。一方、マニュアルの場合は、ユーザがホスト通信装置に設定した基準値を蓄電池の残量と比較して、残量が基準値以上の場合は蓄電池を使用する。これにより、携帯通信端末が誘導起電力から変換された直流電圧を使用するときの蓄電池の残量をユーザが設定でき、蓄電池の残量をホスト通信装置で管理することができる。
【００２８】
また、携帯通信端末に内蔵された蓄電池の充電は、携帯通信端末がＲＦＩＤタグから取得したデータをホスト通信装置に送信する際に、ホスト通信装置からの指示で行なわれる。その結果、専用の充電器が不要となり、しかも通常の動作であるホスト通信装置との通信に付随して充電が行なわれるため、充電のし忘れがない。さらに、蓄電池の充電は、携帯通信端末の通信用のアンテナに誘起する誘導起電力から変換された直流電圧を用いるので、充電専用のアンテナが不要となり携帯通信端末が小型化できる。さらに、蓄電池の充電を開始する蓄電池の残量をユーザがホスト通信装置に設定した基準値に基づいて決定することから、電池の種類や容量が変わっても適正な充電開始残量を設定できる。さらに、蓄電池の充電を開始すると、蓄電池が満充電になるまで充電を継続するので、携帯通信端末をリーダ・ライタモードで動作させるときには、常に蓄電池を満充電の状態で使用することができる。
【図面の簡単な説明】
【００２９】
【図１】本発明の実施形態に係るＲＦＩＤシステムを示すブロック図である。
【図２】図１の携帯通信端末２００によるＲＦＩＤタグ１００との通信処理を示すフローチャートである。
【図３】図１の携帯通信端末２００による使用電源の判定処理を示すフローチャートである。
【図４】図１のホスト通信装置３００による使用電源の判定処理を示すフローチャートである。
【図５】図１の携帯通信端末２００（タグモード）による充電処理の第１の部分を示すフローチャートである。
【図６】図１の携帯通信端末２００（タグモード）による充電処理の第２の部分を示すフローチャートである。
【図７】図１の携帯通信端末２００（タグモード）による充電処理の第３の部分を示すフローチャートである。
【図８】図１のホスト通信装置３００（リーダ・ライタモード）による充電処理の第１の部分を示すフローチャートである。
【図９】図１のホスト通信装置３００（リーダ・ライタモード）による充電処理の第２の部分を示すフローチャートである。
【発明を実施するための形態】
【００３０】
以下、図面を参照して、本発明の実施形態を詳細に説明する。
【００３１】
図１は、本発明の実施形態に係るＲＦＩＤシステムを示すブロック図である。ＲＦＩＤシステムはＲＦＩＤタグ１００と、携帯通信端末２００と、ホスト通信装置３００とで構成される。
【００３２】
まず、ＲＦＩＤタグ１００について説明する。ＲＦＩＤタグ１００は、例えば温度センサなどに取り付けられ、センサが計測したデータ、及び自分自身のＩＤ情報を携帯通信端末２００に送信する。なお、ＲＦＩＤタグ１００は、携帯通信端末２００から送信される電波を整流して得られる電圧で動作する。
【００３３】
次に、携帯通信端末２００について説明する。携帯通信端末２００は、動作モードとして、リーダ・ライタとして動作するリーダ・ライタモードと、ＲＦＩＤタグとして動作するタグモードとを含む。ＲＦＩＤタグ１００と通信する場合、携帯通信端末２００はリーダ・ライタモードで動作し、ＲＦＩＤタグ１００からＩＤ情報及びデータを取得する。また、ホスト通信装置３００と通信する場合は、携帯通信端末２００の起動方法によって、タグモード又はリーダ・ライタモードのいずれかのモードで動作する。携帯通信端末２００が備える通信スイッチ２０７を押すことによって携帯通信端末２００を起動させたときは、携帯通信端末２００はリーダ・ライタモードで動作する。このとき、携帯通信端末２００は、ホスト通信装置３００に対して起動コマンドを送信してホスト通信装置３００を起動し、その後、ホスト通信装置３００にコマンド、ＩＤ情報、及びデータを送信する。一方、ホスト通信装置３００から起動コマンドを受信することによって起動したときは、携帯通信端末２００はタグモードで動作し、ホスト通信装置３００のコマンドに応じて、ＩＤ情報、及びデータをホスト通信装置３００に送信する。
【００３４】
携帯通信端末２００は、アンテナ２０１と、電力変換回路２０２と、蓄電池２０３と、電源ライン切り換え部２０４と、充電切り換え部２０５と、送受信制御回路２０６と、通信スイッチ２０７と、オート／マニュアルスイッチ２０８と、メモリ２０９と、表示部２１０と、コントローラ２１１とを備える。
【００３５】
アンテナ２０１は、ＲＦＩＤタグ１００及びホスト通信装置３００との間で、電波を送受信する。また、アンテナ２０１に誘起する誘導起電力は、内部回路２１２を動作させるため、及び蓄電池２０３を充電するために利用される。電力変換回路２０２は、アンテナ２０１に誘起する誘導起電力を整流し、定電圧回路などを介して直流電圧として出力する。この直流電圧は、後述するように、携帯通信端末２００がタグモードで動作するときの電源電圧として、及び蓄電池２０３の充電用電源電圧として用いられる。
【００３６】
蓄電池２０３は、携帯通信端末２００がリーダ・ライタモードで動作するときの電源として使用され、また、携帯通信端末２００がタグモードで動作するときの電源として用いられる場合もある。蓄電池２０３を充電するときは、電力変換回路２０２により誘導起電力から変換された直流電圧を用いる。なお、蓄電池２０３として、リチウムイオン電池及びニッケル水素電池などの二次電池、又は電気二重層キャパシタなどの大容量コンデンサが用いられる。
【００３７】
電源ライン切り換え部２０４は、コントローラ２１１からの切り換え信号Ｓ１によって制御されて、電力変換回路２０２からの直流電圧と、蓄電池２０３からの直流電圧とのいずれか一方を選択して電源供給ライン２１３を介して内部回路２１２に供給する。また、充電切り換え部２０５は、コントローラ２１１からの切り換え信号Ｓ２によって制御されて、電力変換回路２０２からの直流電圧を蓄電池２０３に出力するか否かを切り換えることにより充電するか否かを切り換える。
【００３８】
送受信制御回路２０６は、コントローラ２１１からコマンド、ＩＤ情報、及びデータを受け取り、アンテナ２０１を介してＲＦＩＤタグ１００、及びホスト通信装置３００に送信する。また、送受信制御回路２０６は、アンテナ２０１を介してＲＦＩＤタグ１００、及びホスト通信装置３００からコマンド、ＩＤ情報、及びデータを受信し、コントローラに出力する。
【００３９】
通信スイッチ２０７は、携帯通信端末２００の手動の押し釦式電源スイッチである。通信スイッチ２０７は、コントローラ２１１と接続されており、通信スイッチ２０７を押すと、携帯通信端末２００の電源がオンして、携帯通信端末２００はリーダ・ライタモードで動作し、ＲＦＩＤタグ１００又はホスト通信装置３００と通信する。通信が終了すると、携帯通信端末２００の電源は一定時間後に自動的にオフとなる。また、通信終了後、電源が自動的にオフする前に再度通信スイッチ２０７を押すと、通信を再開する。
【００４０】
オート／マニュアルスイッチ２０８は、携帯通信端末２００の動作を切り換えるためのスイッチであり、コントローラ２１１に接続されている。オート／マニュアルスイッチ２０８の切り換えにより、オート又はマニュアルの信号がコントローラ２１１に出力される。オート又はマニュアルのいずれが選択されているのかによって、携帯通信端末２００が使用する電源を判定するときの動作、及び蓄電池２０３を充電するときの動作が変化する。動作の詳細については、以下の本実施形態の動作において説明する。
【００４１】
メモリ２０９は、コントローラ２１１に接続されており、ＲＦＩＤタグ１００又はホスト通信装置との通信に使用するコマンド、携帯通信端末２００のＩＤ情報、及びＲＦＩＤタグ１００から取得したデータを保存し、保存しているコマンド、ＩＤ情報、及びデータをコントローラ２１１に出力する。また、メモリ２０９は、蓄電池２０３の電圧が低下した場合に備え、不揮発性メモリで構成される。
【００４２】
表示部２１０は、コントローラ２１１に接続され、ＲＦＩＤシステムのユーザに必要な情報を表示する。例えば、携帯通信端末２００の電源のオンオフ状態、蓄電池２０３の残量、蓄電池２０３が充電中か否か、ＲＦＩＤタグもしくはホスト通信装置と通信中か否か、及び通信可能なＲＦＩＤタグの有無などを表示する。なお、表示部は、ＬＥＤ及び液晶ディスプレイなどで構成される。
【００４３】
コントローラ２１１は携帯通信端末２００の各回路を制御し、残量検知機能と、充電制御機能と、電源ライン制御機能とを含む。残量検知機能において、コントローラ２１１は蓄電池２０３の電圧及び電流を測定して、蓄電池２０３の残量を検知する。また、充電制御機能において、コントローラ２１１は、携帯通信端末２００の動作モードと、残量検知機能から出力される蓄電池２０３の残量と、アンテナ２０１及び送受信制御回路２０６を介してホスト通信装置３００から受信するコマンドと、オート／マニュアルスイッチ２０８から出力されるオート又はマニュアルの信号とに基づいて切り換え信号Ｓ２を出力して、充電切り換え部２０５を制御する。さらに、電源ライン制御機能において、コントローラ２１１は、携帯通信端末２００の動作モードと、残量検知機能から出力される蓄電池２０３の残量と、アンテナ２０１及び送受信制御回路２０６を介してホスト通信装置３００から受信するコマンドと、オート／マニュアルスイッチ２０８から出力されるオート又はマニュアルの信号とに基づいて切り換え信号Ｓ１を出力して電源ライン切り換え部２０４を制御する。なお、コントローラ２１１は、ハードウェア、ソフトウェア、又はそれらの組み合わせで構成される。
【００４４】
次に、ホスト通信装置３００について説明する。ホスト通信装置３００は、携帯通信端末２００と通信し、携帯通信端末２００のメモリ２０９に保存されているＩＤ情報及びデータを取得して、保管・管理する。ホスト通信装置３００は、動作モードとして、リーダ・ライタとして動作するリーダ・ライタモードと、ＲＦＩＤタグとして動作するタグモードとを含む。いずれのモードで動作するのかは、ホスト通信装置３００の起動方法によって決まる。ホスト通信装置３００が備える装着受け部（図示せず。）に携帯通信端末２００が装着されたときは、ホスト通信装置３００はリーダ・ライタモードで動作する。このとき、ホスト通信装置３００は、携帯通信端末２００に対して起動コマンドを送信して、通信スイッチ２０７の操作に関わらず携帯通信端末２００をタグモードで動作させて通信するとともに、蓄電池２０３の残量が少ない場合は、アンテナ２０１を介して充電するための電力を供給する。一方、ホスト通信装置３００が携帯通信端末２００からの起動コマンドを受信することによって起動されたときは、ホスト通信装置３００はタグモードで動作し、携帯通信端末２００から送信されるＩＤ情報及びデータを受信して、保管・管理する。
【００４５】
以上説明したように、本実施形態によれば、携帯通信端末２００及びホスト通信装置３００はともに、動作モードとして、リーダ・ライタとして機能するリーダ・ライタモードと、ＲＦＩＤタグとして機能するタグモードを有する。
【００４６】
携帯通信端末２００とＲＦＩＤタグ１００との通信処理．
図２は、図１の携帯通信端末２００によるＲＦＩＤタグ１００との通信処理を示すフローチャートである。各ステップの左に付したＳｎ（ｎは整数である。）は、以下の説明で用いるためのステップ番号である。
【００４７】
まず、ステップＳ２１において、携帯通信端末２００の通信スイッチ２０７が押されたか否かを調べる。押されていないときは、押されるまでステップ２１を繰り返す。ステップＳ２１で通信スイッチ２０７が押されると、携帯通信端末２００の電源がオンし、携帯通信端末２００がリーダ・ライタモードで動作する。なお、このときの携帯通信端末２００の電源電圧は、蓄電池２０３から供給される。その後、ステップＳ２２において、携帯通信端末２００は、ＲＦＩＤタグ１００との間でコマンド及びデータを送受信する。携帯通信端末２００とＲＦＩＤタグ１００との通信が終了すると、ステップＳ２３に移動して、待機状態時間の計測を開始し、待機状態となる。このとき、携帯通信端末２００の電源はオンしており、アンテナ２０１からは電波が出力されて、ＲＦＩＤタグ１００からのデータを受信できる状態である。また、待機状態では、通信スイッチが押されたか否か（Ｓ２４）、及び所定の待機時間が経過したか否か（Ｓ２５）を判定している。通信スイッチ２０７が押されると、携帯通信端末２００はステップＳ２２に戻り通信を再開する。通信スイッチ２０７が押されない場合は、待機状態を継続する。所定の待機時間が経過した場合は、携帯通信端末２００の電源をオフしてＲＦＩＤタグ１００との通信を終了する。一方、所定の待機時間が経過していない場合は、待機状態を継続する。
【００４８】
以上説明したように、本実施形態によれば、携帯通信端末２００がＲＦＩＤタグ１００と通信する場合、携帯通信端末２００は、リーダ・ライタモードで動作し、電源として蓄電池２０３を使用する。なお、ホスト通信装置３００をタグモードで動作させて通信する場合の動作も図２と同様である。通信中に携帯通信端末２００が受信するＩＤ情報が、ＲＦＩＤタグ１００とホスト通信装置３００とでは異なるため、携帯通信端末２００は、通信相手がＲＦＩＤタグ１００又はホスト通信装置３００のいずれであるのかを判断することができる。
【００４９】
携帯通信端末２００が使用する電源の判定処理．
図３は、図１の携帯通信端末２００による使用電源の判定処理を示すフローチャートであり、図４は、図１のホスト通信装置３００による使用電源の判定処理を示すフローチャートである。
【００５０】
まず、図１及び図３を参照して、携帯通信端末２００の動作を説明する。携帯通信端末２００は、リーダ・ライタモード又はタグモードのいずれかで起動しているものとする。ステップＳ３１で携帯通信端末２００の動作モードを確認する。リーダ・ライタモードで動作している場合は、ステップＳ３４に移動して、蓄電池２０３を使用すると決定する。このとき、コントローラ２１１は、切り換え信号Ｓ１によって電源ライン切り換え部２０４を制御する。電源ライン切り換え部２０４は、電源供給ライン２１３に蓄電池２０３を接続し、蓄電池２０３から内部回路２１２へ電圧を供給する。一方、タグモードで動作している場合、携帯通信端末２００はホスト通信装置３００に装着されているため、携帯通信端末２００とホスト通信装置３００との距離が近く、電力変換回路２０２は、アンテナ２０１の誘導起電力から携帯通信端末２００の回路を動作させるために十分な直流電圧を発生させることができる。この場合、ステップＳ３２に移動し、コントローラ２１１に入力されているオート／マニュアルスイッチの信号を確認する。
【００５１】
オート／マニュアルスイッチの信号がオートの場合、ステップＳ３３に移動し、コントローラ２１１は、残量検知機能を用いて蓄電池２０３の残量を検知し、携帯通信端末２００が備える所定の基準値と比較する。残量が所定の基準値以上であれば、ステップＳ３４に移動し、蓄電池２０３を使用すると決定する。以降の動作は、上述したものと同様である。一方、残量が所定の基準値未満であれば、ステップＳ３５に移動し、誘導起電力から変換された直流電圧を使用すると決定する。このとき、コントローラ２１１は、切り換え信号Ｓ１によって電源ライン切り換え部２０４を制御する。電源ライン切り換え部２０４は、電源供給ライン２１３に電力変換回路２０２を接続し、内部回路２１２へ電圧を供給する。
【００５２】
ステップＳ３２に戻り、オート／マニュアルスイッチの信号が、マニュアルの場合について説明する。この場合、ステップＳ３６に移動し、コントローラ２１１は、残量検知機能を用いて蓄電池２０３の残量を検知し、送受信制御回路２０６を用いて残量をホスト通信装置３００に送信する。その後、ステップＳ３７において、ホスト通信装置３００から送信される電源指定コマンドを待機する。ホスト通信装置３００が送信する電源指定コマンドには、携帯通信端末２００が使用すべき電源が指定されている。携帯通信端末２００が電源指定コマンドを受信すると、ステップＳ３８に移動し、電源指定コマンドに指定されている電源を判定する。蓄電池２０３が指定されている場合、ステップＳ３４に移動し、蓄電池２０３を使用すると決定する。以降の動作は、上述したものと同様である。一方、誘導起電力が指定されている場合、ステップＳ３５に移動し、誘導起電力から変換された直流電圧を使用すると決定する。以降の動作は、上述したものと同様である。
【００５３】
次に、図１及び図４を参照して、ホスト通信装置３００の動作を説明する。ホスト通信装置３００は、リーダ・ライタモードで動作している。ホスト通信装置３００は、ステップＳ４１において、携帯通信端末２００から送信される蓄電池２０３の残量を待機する。図３のステップＳ３６で携帯通信端末２００が送信した蓄電池２０３の残量を受信すると、ステップＳ４２に移動し、残量を評価する。ステップＳ４２では、送信された残量をホスト通信装置３００内の基準値と比較することで、携帯通信端末２００が蓄電池２０３を使用するか、誘導起電力から変換された直流電圧を使用するかを判定する。蓄電池２０３の残量が基準値以上であれば、ステップＳ４３に移動し、蓄電池２０３を使用すると決定して、蓄電池２０３を指定した電源指定コマンドを携帯通信端末２００に送信する。一方、蓄電池２０３の残量が基準値未満であれば、ステップＳ４４に移動し、誘導起電力から変換された直流電圧を使用すると決定して、誘導起電力を指定した電源指定コマンドを携帯通信端末２００に送信する。
【００５４】
なお、ステップＳ４２で用いる基準値を、本ＲＦＩＤシステムを使用するユーザが設定できるようにしておくことで、携帯通信端末２００をリーダ・ライタモードで動作させるときの蓄電池２０３の残量を設定することができる。つまり、基準値を満充電に近い値に設定すると、携帯通信端末２００をタグモードで動作させるときには蓄電池２０３がほとんど使われないため、蓄電池２０３の残量を多くすることができる。その結果、携帯通信端末２００をリーダ・ライタモードで動作させるときには、蓄電池２０３に満充電に近い容量が残っており、携帯通信端末２００を長時間使用できる。なお、ステップＳ４２で用いる基準値は、後述する図９のステップＳ６１４で用いる基準値と同一のものであっても、異なるものであってもよい。
【００５５】
以上説明したように、本実施形態によれば、携帯通信端末２００がリーダ・ライタモードで動作している場合は、蓄電池２０３から電力供給を行ない、タグモードで動作している場合は、オート／マニュアルスイッチ２０８の信号及び蓄電池２０３の残量に応じて、蓄電池２０３を用いるか誘導起電力から変換された直流電圧を用いるかを決定する。オート／マニュアルスイッチ２０８の信号がオートの場合は、コントローラ２０７は、携帯通信端末２００が備えた基準値を蓄電池２０３の残量と比較して、残量が基準値以上の場合には蓄電池２０３を使用すると決定し、切り換え信号Ｓ１を電源ライン切り換え部２０４に出力する。一方、オート／マニュアルスイッチ２０８の信号がマニュアルの場合は、コントローラ２０７は、蓄電池２０３の残量をホスト通信装置３００に送信し、ホスト通信装置３００は、受信した残量をユーザがホスト通信装置３００に設定した基準値と比較して、残量が基準値以上の場合は蓄電池２０３を使用すると決定し、電源指定コマンドを携帯通信端末２００に送信し、携帯通信端末２００は、電源指定コマンドに応じて切り換え信号Ｓ１を電源ライン切り換え部２０４に出力する。これにより、携帯通信端末２００が誘導起電力から変換された直流電圧を使用するときの蓄電池２０３の残量をユーザが設定でき、蓄電池２０３の残量をホスト通信装置３００で管理することができる。
【００５６】
携帯通信端末２００の蓄電池２０３に対する充電処理．
図５〜７は、図１の携帯通信端末２００（タグモード）による充電処理を示すフローチャートであり、図８及び９は、図１のホスト通信装置３００（リーダ・ライタモード）による充電処理を示すフローチャートである。
【００５７】
まず、図１、及び図５〜７を参照して、携帯通信端末２００の動作を説明する。ステップＳ５０１で携帯通信端末２００がホスト通信装置３００の装着受け部に装着される。ステップＳ５０２において、携帯通信端末２００は、ホスト通信装置３００から送信される起動コマンドを待機する。携帯通信端末２００が起動コマンドを受信すると、電源がオンになりタグモードで起動する（ステップＳ５０３）。その後、携帯通信端末２００は、ホスト通信装置３００から送信されるコマンドを待機する。ホスト通信装置３００から送信されるコマンドには、少なくともＩＤ取得コマンド、データ取得コマンド、充電コマンドの３種類がある。これら３種類のコマンドを受信したかどうかは、それぞれステップＳ５０４、ステップＳ５０６、及びステップＳ５０８で判定する。携帯通信端末２００がＩＤ取得コマンドを受信すると、ステップＳ５０５に移動し、自分自身のＩＤ情報をメモリ２０９から読み出して、ホスト通信装置３００に送信する。また、データ取得コマンドを受信すると、ステップＳ５０７に移動し、必要なデータをメモリ２０９から読み出して、ホスト通信装置３００に送信する。また、充電コマンドを受信すると、充電動作を開始する。
【００５８】
充電動作ではまず、ステップＳ５０９において、コントローラ２１１が残量検知機能を用いて蓄電池２０３の残量を検知する。次にステップＳ５１０で、オート／マニュアルスイッチの信号を調べる。オートであれば、ステップＳ５１１に移動し、ステップＳ５０９で調べた残量を携帯通信端末２００が備える所定の基準値と比較し、基準値以上であれば、充電を行なわずにステップＳ５０４へ戻り、ホスト通信装置３００から送信されるコマンドを待機する。一方、残量が所定の基準値未満であれば、ステップＳ５１５に移動して、コントローラ２１１が切り換え信号Ｓ２によって充電切り換え部２０５を制御し、充電を開始する。上述したように、蓄電池２０３は、誘導起電力から変換された直流電圧で充電される。充電が開始されると、ステップＳ５１６において表示部２１０が充電中であることを表示する。充電中では、蓄電池２０３の充電が完了したか否かを判定する（Ｓ５１７）とともに、ホスト通信装置３００と通信するために、ホスト通信装置３００から送信されるコマンドを判定する（ステップＳ５１８、ステップＳ５２０、及びステップＳ５２２）。ＩＤ取得コマンド又はデータ取得コマンドを受信したときは、上述した動作と同様に動作する。ただし、充電コマンドを受信したときは、すでに充電中であるので何も行わない。ステップＳ５１７における充電完了の判定は、コントローラ２１１が残量検知機能を用いて実行する。充電が完了した場合は、ステップＳ５２３に移動して、コントローラ２１１が切り換え信号Ｓ２によって充電切り換え部２０５を制御し、充電を停止する。さらにステップＳ５２４において、充電中の表示を消灯し、ステップＳ５０４へ戻ってホスト通信装置３００から送信されるコマンドを待機する。
【００５９】
ステップＳ５１０に戻り、オート／マニュアルスイッチの信号がマニュアルの場合について説明する。この場合は、ステップＳ５１２に移動し、ステップＳ５０９で調べた蓄電池２０３の残量をホスト通信装置３００に送信する。その後、携帯通信端末２００は、ステップＳ５１３で充電可否コマンドを待機する。ホスト通信装置３００が送信する充電可否コマンドには、携帯通信端末が充電を実行すべき（充電可）か、充電を実行すべきでない（充電否）かが指定されている。携帯通信端末２００が充電可否コマンドを受信すると、ステップＳ５１４に移動し、充電の可否を判定する。判定結果が充電否の場合は、充電せずにステップＳ５０４へ戻り、ホスト通信装置３００から送信されてくる次のコマンドを待機する。一方、充電可の場合は、ステップＳ５１５に移動して充電を開始する。ステップＳ５１５以降の動作については、既に説明しているので省略する。
【００６０】
次に、図１、図８及び図９を参照して、ホスト通信装置３００の動作を説明する。ステップＳ６０１で携帯通信端末２００がホスト通信装置３００の装着受け部に装着されることを待機する。携帯通信端末２００が装着されたことを検出すると、ホスト通信装置３００は、ステップＳ６０２に移動し、携帯通信端末２００に起動コマンドを送信する。このとき、ホスト通信装置３００の動作モードは、リーダ・ライタモードである。
【００６１】
ホスト通信装置３００は、ステップＳ６０２で携帯通信端末２００を起動させた後、携帯通信端末２００に対して、コマンドを送信する。このときに送信するコマンドには、（１）携帯通信端末２００のＩＤ情報を取得するためのＩＤ取得コマンド、（２）携帯通信端末２００のメモリ２０９に保存されているデータを取得するためのデータ取得コマンド、及び（３）蓄電池２０３を充電するための充電コマンドの少なくとも３つがある。携帯通信端末２００に対して送信するコマンドは、ステップＳ６０３、ステップＳ６０７、及びステップＳ６１１で決定する。
【００６２】
ホスト通信装置３００が、ＩＤ取得コマンドを送信する場合、ステップＳ６０４に移動してＩＤ取得コマンドを送信し、その後、ステップＳ６０５で携帯通信端末２００から送信されるＩＤ情報を待機する。ＩＤ情報を受信すると、ステップＳ６０６で携帯通信端末２００から送られてきたＩＤ情報に基づいて所定の処理を実行し、ステップＳ６０３に戻って次のコマンドを送信する。また、データ取得コマンドを送信する場合、ステップＳ６０８に移動してデータ取得コマンドを送信し、その後、ステップＳ６０９で携帯通信端末２００から送信されるデータを待機する。データを受信すると、ステップＳ６１０で携帯通信端末２００から送られてきたデータに対して所定の処理を実行し、ステップＳ６０３に戻る。
【００６３】
ホスト通信装置３００が、充電コマンドを送信する場合、ステップＳ６１２に移動して充電コマンドを送信し、その後、ステップＳ６１３で携帯通信端末２００から蓄電池２０３の残量を受信したか否かを調べる。残量を受信していない場合は、次の通信を行なうためにステップＳ６０３に戻る。残量を受信した場合は、ステップＳ６１４に移動し、ホスト通信装置３００内の基準値を受信した残量と比較する。残量が基準値以上である場合は、ステップＳ６１５に移動し、充電しないと決定し、充電可否コマンド（充電否）を携帯通信端末２００に送信する。一方、残量が基準値未満である場合は、充電すると決定し、充電可否コマンド（充電可）を携帯通信端末２００に送信する。充電可否コマンドを送信した後は、ステップＳ６０３に戻り、次のコマンド送信に備える。なお、ホスト通信装置３００は、携帯通信端末２００の充電が完了するまで、充電のための電波の送信を継続する。
【００６４】
なお、ステップＳ６１４において、ホスト通信装置３００が用いる基準値は、ＲＦＩＤシステムのユーザが設定できる。その結果、蓄電池２０３の充電を開始する蓄電池２０３の残量をユーザが決めることができる。また、ステップＳ６１４で用いる基準値は、上述した図４のステップＳ４２で用いる基準値と同一のものであっても、異なるものであってもよい。
【００６５】
以上説明したように、本実施形態によれば、携帯通信端末２００に内蔵された蓄電池２０３の充電は、携帯通信端末２００がＲＦＩＤタグ１００から取得したデータをホスト通信装置３００に送信する際に、ホスト通信装置３００からの充電コマンドに応じて行なわれる。その結果、専用の充電器が不要となり、しかも通常の動作であるホスト通信装置３００との通信に付随して充電が行なわれるため、充電のし忘れがない。また、蓄電池２０３の充電は、携帯通信端末２００の通信用のアンテナ２０１に誘起する誘導起電力から変換された直流電圧を用いるので、充電専用のアンテナが不要となり携帯通信端末２００が小型化できる。
【００６６】
さらに、オート／マニュアルスイッチ２０８の信号がオートの場合は、コントローラ２０７は、携帯通信端末２００が備えた基準値を蓄電池２０３の残量と比較して、残量が基準値未満の場合には蓄電池２０３を充電する。一方、オート／マニュアルスイッチ２０８の信号がマニュアルの場合は、コントローラ２０７は、蓄電池２０３の残量をホスト通信装置３００に送信し、ホスト通信装置３００は、受信した残量をユーザがホスト通信装置３００に設定した基準値と比較して、残量が基準値未満の場合は蓄電池２０３を充電すると決定し、充電可否コマンドを携帯通信端末２００に送信し、携帯通信端末２００は、充電可否コマンドに応じて蓄電池２０３を充電する。この結果、蓄電池２０３の充電を開始する蓄電池２０３の残量をユーザがホスト通信装置３００に設定した基準値に基づいて決定することから、電池の種類や容量が変わっても適正な充電開始残量を設定できる。
【００６７】
またさらに、蓄電池２０３の充電を開始すると、蓄電池が満充電になるまで充電を継続するので、携帯通信端末２００をリーダ・ライタモードで動作させるときには、常に蓄電池２０３を満充電の状態で使用することができる。
【産業上の利用可能性】
【００６８】
以上詳述したように、本発明に係る携帯通信端末、ホスト通信装置、及びＲＦＩＤシステムによれば、携帯通信端末がリーダ・ライタモードで動作している場合は、蓄電池から電力供給を行ない、タグモードで動作している場合は、オート／マニュアルスイッチの信号及び蓄電池の残量に応じて、蓄電池を用いるか誘導起電力から変換された直流電圧を用いるかを決定する。オート／マニュアルスイッチの信号がオートの場合は、携帯通信端末が備える基準値を蓄電池の残量と比較して、残量が基準値以上の場合は蓄電池を使用する。一方、マニュアルの場合は、ユーザがホスト通信装置に設定した基準値を蓄電池の残量と比較して、残量が基準値以上の場合は蓄電池を使用する。これにより、携帯通信端末が誘導起電力から変換された直流電圧を使用するときの蓄電池の残量をユーザが設定でき、蓄電池の残量をホスト通信装置で管理することができる。
【００６９】
また、携帯通信端末に内蔵された蓄電池の充電は、携帯通信端末がＲＦＩＤタグから取得したデータをホスト通信装置に送信する際に、ホスト通信装置からの指示で行なわれる。その結果、専用の充電器が不要となり、しかも通常の動作であるホスト通信装置との通信に付随して充電が行なわれるため、充電のし忘れがない。さらに、蓄電池の充電は、携帯通信端末の通信用のアンテナに誘起する誘導起電力から変換された直流電圧を用いるので、充電専用のアンテナが不要となり携帯通信端末が小型化できる。さらに、蓄電池の充電を開始する蓄電池の残量をユーザがホスト通信装置に設定した基準値に基づいて決定することから、電池の種類や容量が変わっても適正な充電開始残量を設定できる。さらに、蓄電池の充電を開始すると、蓄電池が満充電になるまで充電を継続するので、携帯通信端末をリーダ・ライタモードで動作させるときには、常に蓄電池を満充電の状態で使用することができる。
【符号の説明】
【００７０】
１００…ＲＦＩＤタグ、
２００…携帯通信端末、
２０１…アンテナ、
２０２…電力変換回路、
２０３…蓄電池、
２０４…電源ライン切り換え部、
２０５…充電切り換え部、
２０６…送受信制御回路、
２０７…通信スイッチ、
２０８…オート／マニュアルスイッチ、
２０９…メモリ、
２１０…表示部、
２１１…コントローラ、
２１２…内部回路、
２１３…電源供給ライン、
３００…ホスト通信装置。
【先行技術文献】
【特許文献】
【００７１】
【特許文献１】特開平７−１５４２８８号公報。
【特許文献２】特開平１１−３４５２９２号公報。
【図１】
2011060169.tif 000003
【図２】
2011060169.tif 000004
【図３】
2011060169.tif 000005
【図４】
2011060169.tif 000006
【図５】
2011060169.tif 000007
【図６】
2011060169.tif 000008
【図７】
2011060169.tif 000009
【図８】
2011060169.tif 000010
【図９】
2011060169.tif 000011